【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
コリメートされたコヒーレントなエネルギを発生するための平坦な多層トランスリフレクタにおいて、
絶縁層と、
この絶縁層上に配置され、入射ミリメートル波信号の第１の部分を実質的に反射し、入射ミリメートル波信号の残りの部分を実質的にトランスリフレクタを通して透過させる金属層とを具備し、
金属層は円周方向領域内で半径方向でサイズが変化する格子パターンで配置されている複数の導電性の方形を含み、
前記第１の部分は実質的に入射ミリメートル波信号に対して直交する偏波を有し、
導電性の方形は円周方向領域内の少なくとも幾つかの他の方形に電気的に結合され、
円周方向領域はトランスリフレクタの中心を中心とする同心円により規定されるトランスリフレクタ。
【請求項２】
複数の方形は各円周方向領域内で半径方向で外方向に小から大へサイズが変化する請求項１記載のトランスリフレクタ。
【請求項３】
複数の方形は実質的に入射ミリメートル波信号に実質的に直交した偏波を有する第１の部分を反射するためｘ方向またはｙ方向のいずれかでラインを接続することにより電気的に結合される請求項１記載のトランスリフレクタ。
【請求項４】
金属層は３つの金属層のうちの１つであり、
絶縁層は金属層の間に配置されている２つの絶縁層のうちの１つである請求項３記載のトランスリフレクタ。
【請求項５】
コリメートされたコヒーレントなエネルギを発生するための平坦な多層トランスリフレクタにおいて、
絶縁層と、
この絶縁層上に配置され、入射ミリメートル波信号の第１の部分を実質的に反射し、入射ミリメートル波信号の残りの部分を実質的にトランスリフレクタを通して透過させる金属層とを具備し、
金属層は円周方向領域内で半径方向でサイズが変化する格子パターンで配置されている複数の導電性の方形を含み、
前記第１の部分は実質的に入射ミリメートル波信号に対して直交する偏波を有し、
複数の方形は各円周方向領域内で半径方向で外方向に大から小へサイズが変化するトランスリフレクタ。
【請求項６】
コリメートされたコヒーレントなエネルギを発生するための平坦な多層トランスリフレクタにおいて、
絶縁層と、
この絶縁層上に配置され、入射ミリメートル波信号の第１の部分を実質的に反射し、入射ミリメートル波信号の残りの部分を実質的にトランスリフレクタを通して透過させる金属層とを具備し、
金属層は円周方向領域内で半径方向でサイズが変化する格子パターンで配置されている複数の方形を含み、
前記第１の部分は実質的に入射ミリメートル波信号に対して直交する偏波を有し、
複数の方形は実質的に入射ミリメートル波信号の干渉偏波された成分を有する第１の部分を反射するためｘ方向またはｙ方向のいずれかでラインを接続することにより電気的に結合され、
金属層は３つの金属層のうちの１つであり、
絶縁層は金属層の間に配置されている２つの絶縁層のうちの１つであり、
第１の部分は入射ミリメートル波信号の干渉偏波された成分を有し、
円周方向領域間の半径方向の間隔、方形のサイズ及び変化、方形間の間隔および接続線の幅は入射ミリメートル波信号から残りの部分の実質的にコリメートされた実質的にコヒーレントな波頭を発生し、干渉偏波された成分を具備する実質的にコリメートされ実質的にコヒーレントな波頭を反射するように選択されるトランスリフレクタ。
【請求項７】
トランスリフレクタはトランスリフレクタの焦点に位置されているミリメートル波の放射源により照射される請求項６記載のトランスリフレクタ。
【請求項８】
入射ミリメートル波信号はミリメートル波点放射源により発生される請求項６記載のトランスリフレクタ。
【請求項９】
入射ミリメートル波信号はトランスリフレクタの焦点近くに位置されている増幅器アレイにより発生され、増幅器アレイは反射された干渉偏波された成分を受信し、受信された干渉偏波された成分を増幅し、入射ミリメートル波信号としてトランスリフレクタにより受信されるように、それに応答して受信された干渉偏波された成分に対して直交する信号を透過する請求項６記載のトランスリフレクタ。
【請求項１０】
増幅器アレイは複数のアレイ素子を具備し、各アレイ素子は、
反射された干渉偏波された成分を受けるための第１の偏波を有する入力アンテナと、
反射された干渉偏波された成分を増幅するためのミリメートル波増幅器と、
反射された干渉偏波された成分に対して直交する偏波を有する信号を透過するため増幅器の出力に結合される出力アンテナを具備し、
アレイ素子は入射ミリメートル波信号のミリメートル波周波数で発振する請求項９記載のトランスリフレクタ。
【請求項１１】
コリメートされたコヒーレントなエネルギを発生するための平坦な多層トランスリフレクタにおいて、
絶縁層と、
この絶縁層上に配置され、入射ミリメートル波信号の第１の部分を実質的に反射し、入射ミリメートル波信号の残りの部分を実質的にトランスリフレクタを通して透過させる金属層とを具備し、
金属層は円周方向領域内で半径方向でサイズが変化する格子パターンで配置されている複数の方形を含み、
前記第１の部分は実質的に入射ミリメートル波信号に対して直交する偏波を有し、
第１の部分は第１の方向で実質的にコリメートされたコヒーレントな波頭を有する入射ミリメートル波信号の干渉偏波された成分を具備し、
残りの部分は第２の方向で実質的にコリメートされたコヒーレントな波頭を有するトランスリフレクタ。
【請求項１２】
コリメートされたコヒーレントなエネルギを発生するための平坦な多層トランスリフレクタにおいて、
各複数の円周方向領域内で半径方向にサイズが変化する格子パターンで配置されている複数の導電性の方形をそれぞれ有している３つの金属層と、
それぞれ２つの金属層の間に配置されている２つの絶縁層とを具備し、
複数の方形はｘ方向またはｙ方向でラインを接続することによって電気的に結合され、  円周方向領域はトランスリフレクタの中心を中心とする同心円により規定される平面のトランスリフレクタ。
【請求項１３】
格子パターンで配置されている複数の方形は、各円周方向領域内で半径方向で小から大にサイズが変化する請求項１２記載の平面のトランスリフレクタ。
【請求項１４】
コリメートされたコヒーレントなエネルギを発生するための平坦な多層トランスリフレクタにおいて、
各複数の円周方向領域内で半径方向にサイズが変化する格子パターンで配置されている複数の方形をそれぞれ有している３つの金属層と、
それぞれ２つの金属層の間に配置されている２つの絶縁層とを具備し、
複数の方形はｘ方向またはｙ方向でラインを接続することによって電気的に結合され、
格子パターンで配置されている複数の方形は、各円周方向領域内で半径方向で大から小にサイズが変化する平面のトランスリフレクタ。
【請求項１５】
コリメートされたコヒーレントなエネルギを発生するための平坦な多層トランスリフレクタにおいて、
それぞれ複数の円周方向領域内で半径方向にサイズが変化する格子パターンで配置されている複数の方形をそれぞれ有している３つの金属層と、
それぞれ２つの金属層の間に配置されている２つの絶縁層とを具備し、
複数の方形はｘ方向またはｙ方向でラインを接続することによって電気的に結合され、
入射ミリメートル波信号の干渉偏波された成分は実質的にコリメートされたコヒーレントな波頭で反射され、
入射ミリメートル波信号の残りの部分はコリメートされたコヒーレントな波頭でトランスリフレクタを通して実質的に透過され、
入射ミリメートル波信号の反射された干渉偏波成分は入射ミリメートル波信号に対して実質的に直交しており、
残りの部分は実質的にコリメートされたコヒーレントな波頭を含んでいる平面のトランスリフレクタ。
【請求項１６】
円周方向領域間の半径方向の間隔、方形のサイズ及び変化、方形間の間隔、接続線の幅は、入射ミリメートル波信号から残りの部分の実質的にコリメートされた実質的にコヒーレントな波頭を発生するように選択されている請求項１５記載のトランスリフレクタ。
【請求項１７】
コリメートされたコヒーレントなミリメートル波エネルギを発生するシステムにおいて、
金属層間に配置された複数の絶縁層を具備する平坦な多層トランスリフレクタと、
入射ミリメートル波信号を供給するためトランスリフレクタの焦点に位置されているミリメートル波放射源とを具備し、
前記金属層はそれぞれ円周方向領域内でサイズが半径方向で変化する格子パターンで配置されている複数の導電性の方形を有し、それによって多層トランスリフレクタは入射ミリメートル波信号の第１の部分を実質的に反射し、トランスリフレクタを通って入射ミリメートル波信号の残りの部分を実質的に透過し、
第１の部分は入射ミリメートル波信号に実質的に直交した偏波を有し、
導電性の方形は円周方向領域内の少なくとも幾つかの他の方形に電気的に結合され、
円周方向領域はトランスリフレクタの中心を中心とする同心円により規定されるシステム。
【請求項１８】
前記複数の方形はそれぞれ周囲方向領域内でサイズが半径方向で外方向で変化し、
複数の方形は実質的に入射ミリメートル波信号に直交する偏波を有する第１の部分を実質的に反射するためｘ方向またはｙ方向のいずれかで接続線により電気的に結合されている請求項１７記載のシステム。
【請求項１９】
金属層は３つの金属層のうちの１つであり、
絶縁層は金属層の間に配置されている２つの絶縁層のうちの１つである請求項１８記載のシステム。
【請求項２０】
ミリメートル波放射源は右または左円形偏波される入射ミリメートル波信号を発生する請求項１８記載のシステム。
【請求項２１】
コリメートされたコヒーレントなミリメートル波エネルギを発生するシステムにおいて、
金属層間に配置された複数の絶縁層を有する平坦な多層トランスリフレクタと、
入射ミリメートル波信号を供給するためトランスリフレクタの焦点に位置されているミリメートル波放射源とを具備し、
前記金属層はそれぞれ円周方向領域内でサイズが半径方向で変化する格子パターンで配置されている複数の方形を有し、それによって多層トランスリフレクタは入射ミリメートル波信号の第１の部分を実質的に反射し、トランスリフレクタを介して入射ミリメートル波信号の残りの部分を実質的に透過し、
第１の部分は入射ミリメートル波信号に実質的に直交した偏波を有し、
前記複数の方形はそれぞれ周囲方向領域内でサイズが半径方向で外方向で変化し、
複数の方形は実質的に入射ミリメートル波信号に直交する偏波を有する第１の部分を実質的に反射するためｘ方向またはｙ方向のいずれかで接続線により電気的に結合され、
円周方向領域間の半径方向の間隔、方形のサイズ及び変化、方形間の間隔、接続線の幅は、入射ミリメートル波信号から残りの部分の実質的にコリメートされた実質的にコヒーレントな波頭を発生して、干渉偏波された成分を有する実質的にコリメートされた実質的にコヒーレントな波頭を反射するように選択されているシステム。
【請求項２２】
コリメートされたコヒーレントなミリメートル波エネルギを発生するシステムにおいて、
金属層間に配置された複数の絶縁層を具備する平坦な多層トランスリフレクタと、
入射ミリメートル波信号を供給するためトランスリフレクタの焦点に位置されているミリメートル波放射源とを具備し、
前記金属層はそれぞれ円周方向領域内でサイズが半径方向で変化する格子パターンで配置されている複数の方形を有し、それによって多層トランスリフレクタは入射ミリメートル波信号の第１の部分を実質的に反射し、トランスリフレクタを介して入射ミリメートル波信号の残りの部分を実質的に透過し、
第１の部分は入射ミリメートル波信号に実質的に直交した偏波を有し、
前記複数の方形はそれぞれ周囲方向領域内でサイズが半径方向で外方向で変化し、
複数の方形は実質的に入射ミリメートル波信号に直交する偏波を有する第１の部分を実質的に反射するためｘ方向またはｙ方向のいずれかで接続線により電気的に結合され、
第１の部分は入射ミリメートル波信号の干渉偏波成分を含み、
反射された干渉偏波された成分は透過された残りの部分に対して実質的に直交し、
干渉偏波成分は実質的にコリメートされたコヒーレントな波頭を含んでいるシステム。
【請求項２３】
コリメートされたコヒーレントなミリメートル波エネルギを発生するシステムにおいて、
金属層間に配置された複数の絶縁層を具備する平坦な多層トランスリフレクタと、
入射ミリメートル波信号を供給するためトランスリフレクタの焦点に位置されているミリメートル波放射源とを具備し、
前記金属層はそれぞれ円周方向領域内でサイズが半径方向で変化する格子パターンで配置されている複数の方形を有し、それによって多層トランスリフレクタは入射ミリメートル波信号の第１の部分を実質的に反射し、トランスリフレクタを通って入射ミリメートル波信号の残りの部分を実質的に透過し、
第１の部分は入射ミリメートル波信号に実質的に直交した偏波を有し、
前記複数の方形はそれぞれ周囲方向領域内でサイズが半径方向で外方向で変化し、
複数の方形は実質的に入射ミリメートル波信号に直交する偏波を有する第１の部分を実質的に反射するためｘ方向またはｙ方向のいずれかで接続線により電気的に結合され、
ミリメートル波放射源はトランスリフレクタの焦点近くに位置されている増幅器アレイを具備し、増幅器アレイは反射された干渉偏波された成分を受信し、受信された干渉偏波された成分を増幅し、それに応答して受信された干渉偏波された成分に対して直交する信号を透過するシステム。
【請求項２４】
増幅器アレイは複数のアレイ素子を具備し、各アレイ素子は、
反射された干渉偏波された成分を選択的に受けるための偏波を有する入力アンテナと、
反射された干渉偏波された成分を増幅するためのミリメートル波増幅器と、
干渉偏波された成分に対して直交する信号を透過するため増幅器の出力に結合される出力アンテナを具備し、
アレイ素子は入射ミリメートル波信号のミリメートル波周波数で発振する請求項２３記載のシステム。